(57)【特許請求の範囲】
【請求項１】
筒状のレンズ鏡筒と、前記レンズ鏡筒内に収納される複数のレンズとを備え、複数の前記レンズにより、前記レンズ鏡筒と観察対象物との間に介在する所定厚み寸法のガラス板による収差が補正される対物レンズに対して着脱自在に設けられたガラス厚補正アダプタであって、
前記レンズ鏡筒の前記観察対象物側の先端部に着脱可能な着脱部、前記着脱部から前記観察対象物側に延出して設けられ、前記対物レンズの光軸を中心軸とした筒状の収納部、及び前記収納部の前記着脱部側に設けられ、前記収納部の筒内周面から内側に突出した係止部を備えたアダプタ本体と、
互いに平行な２平面を有し、前記２平面が前記対物レンズの光軸に対して直交する状態で前記収納部内に挿入された透光性の平行平面板と、
前記平行平面板の外周部を保持する枠体と、
前記収納部の前記観察対象物側の先端部に取り付けられ、前記収納部内に前記平行平面板が挿入された状態で、前記係止部との間で前記平行平面板を保持した前記枠体を挟んで保持する押え部と、
を備え、
前記収納部は、少なくとも２つ以上の前記平行平面板を挿入可能な筒長さ寸法に形成され、
前記枠体は、前記収納部の筒内周面に周方向に亘って当接する外周面を有し、
前記平行平面板は、前記枠体に保持された状態で前記収納部に収納されている
ことを特徴とするガラス厚補正アダプタ。
【請求項２】
請求項１に記載のガラス厚補正アダプタにおいて、
前記枠体は、
前記平行平面板の外周面が当接する内周円筒面、及び、前記内周円筒面から当該内周円筒面の中心軸に向かって突出し、前記平行平面板の１面側が当接する当接部を備え、
前記ガラス厚補正アダプタは、前記内周円筒面に係合され、前記当接部との間で前記平行平面板を固定する押え環を備える
ことを特徴とするガラス厚補正アダプタ。
【請求項３】
請求項１又は請求項２に記載のガラス厚補正アダプタにおいて、
前記収納部内に挿入可能な前記枠体として、第一の平行平面板を保持する第一枠体と、第二の平行平面板を保持する第二枠体とを備え、
前記第一枠体は、第二枠体に向かって突出する爪部を備え、前記第二枠体は、前記爪部を係合する係合部を備えた
ことを特徴とするガラス厚補正アダプタ。
【請求項４】
請求項３に記載のガラス厚補正アダプタにおいて、
前記第二枠体は、前記第一枠体に向かって突出する爪部を備え、前記第一枠体は、前記第二枠体から突出する爪部を係合する係合部を備えた
ことを特徴とするガラス厚補正アダプタ。
【請求項５】
筒状のレンズ鏡筒と、前記レンズ鏡筒内に収納される複数のレンズとを備え、前記複数のレンズにより、前記レンズ鏡筒と観察対象物との間に介在する所定厚み寸法のガラス板による収差が補正される対物レンズであって、
前記レンズ鏡筒の前記観察対象物に近接する側の端部に、請求項１から請求項４のいずれかに記載のガラス厚補正アダプタが取り付けられた
ことを特徴とする対物レンズ。
【発明の詳細な説明】
【技術分野】
【０００１】
本発明は、ガラス厚補正アダプタ、及びガラス厚補正アダプタが取り付けられた対物レンズに関する。
【背景技術】
【０００２】
従来、レンズ鏡筒内に複数のレンズを収納した対物レンズとして、ガラス板を介して観察対象物を観察した際に、ガラス板の厚みによる収差を設計的に補正可能なものが知られている。しかしながら、このような対物レンズは、観察対象物との間に介在するガラス板の厚みが変わった場合、適切な光学性能が得られないという課題があった。
【０００３】
これに対して、ガラス厚補正対物レンズに、別途、ガラス厚補正アダプタを取り付ける構成が知られている（例えば、特許文献１参照）。
この特許文献１に記載のガラス厚補正アダプタは、対物レンズのレンズ鏡筒の先端部に着脱可能な取付枠と、取付枠に保持された平行平面板とを備えている。そして、対物レンズと観察対象物との間に介在するガラス板の厚みに応じて、対物レンズに取り付けるガラス厚補正アダプタを取り付ける。
例えば、５ｍｍの厚み寸法を有するガラス板が介在することを前提に設計された対物レンズでは、観察対象物との間に２ｍｍの厚み寸法のガラス板が介在する場合、厚み寸法が３ｍｍの平行平面板を有するガラス厚補正アダプタを対物レンズのレンズ鏡筒に装着する。これにより、ガラス板の厚みが２ｍｍの場合でも、適切な光学性能で対物レンズを用いて観察対象物を観察することが可能となる。
【０００４】
また、対物レンズ内のレンズを光軸に沿って移動させることで、ガラス板の厚みに応じた収差補正を行う対物レンズが知られている（例えば、特許文献２参照）。
特許文献２の対物レンズは、３つのレンズ群のうちの１つのレンズ群を移動させることで、観察対象物との間に介在するガラス板のガラス厚による収差を補正する。
【先行技術文献】
【特許文献】
【０００５】
【特許文献１】実開昭６１−０１６５２６号公報
【特許文献２】特許第２８３９２６３号公報
【発明の概要】
【発明が解決しようとする課題】
【０００６】
ところで、上記特許文献１に記載の構成では、対物レンズにガラス厚補正アダプタを取り付けることで、対応可能なガラス板の厚みが特定されてしまう。
例えば、５ｍｍの厚み寸法を有するガラス板が介在することを前提に設計された対物レンズに対して、２ｍｍの平行平面板を有するガラス厚補正アダプタを取り付ける場合では、３ｍｍの厚み寸法のガラス板のみに対応可能となる。しかしながら、例えばガラス板の厚み寸法が１ｍｍ，２ｍｍ，４ｍｍである場合や、ガラス板が設けられない場合は、対応することができない。したがって、これらの板厚のガラス板に対応するためには、別途、４ｍｍ，３ｍｍ，１ｍｍ，５ｍｍの平行平面板を有するガラス厚補正アダプタを用意する必要が生じ、コスト高となる。
【０００７】
ここで、特許文献１のガラス厚補正アダプタの取付枠に対して、更に別のガラス厚補正アダプタを取り付けることで、異なるガラス板に対しても対応することが可能となる。例えば、１ｍｍ，２ｍｍ，３ｍｍの平行平面板を有するガラス厚補正アダプタをそれぞれ用意すれば、各ガラス厚補正アダプタを単独で用いることで、４ｍｍ、３ｍｍ、２ｍｍのガラス厚に対応することができる。また、これらのガラス厚補正アダプタを組み合わせることで、５ｍｍ，４ｍｍ，３ｍｍのガラス板に対応することができる。
しかしながら、特許文献１のガラス厚補正アダプタの取付枠は、対物レンズのレンズ鏡筒に当該取付枠を固定するための装着部を備える構成であり、取付枠を重ねて用いると、装着部の寸法分だけサイズが大きくなってしまう。この場合、ガラス厚補正アダプタの観察対象物側の先端面と、観察対象物との間の距離が小さくなる。したがって、対物レンズを観察対象物に対して進退可能な距離（作動距離）も小さくなって、焦点調整を適切に実施できないおそれが生じ、対物レンズの機能が低下するという課題がある。
【０００８】
また、特許文献２のように、対物レンズ内のレンズ位置を移動させる構成では、レンズを移動させる構成が複雑化してしまい、コスト高となるという課題がある。
【０００９】
本発明は、低コストで、かつ、対物レンズの機能低下を防止可能なガラス厚補正アダプタ、及び対物レンズを提供することを目的とする。
【課題を解決するための手段】
【００１０】
本発明のガラス厚補正アダプタは、筒状のレンズ鏡筒と、前記レンズ鏡筒内に収納される複数のレンズとを備え、複数の前記レンズにより、前記レンズ鏡筒と観察対象物との間に介在する所定厚み寸法のガラス板による収差が補正される対物レンズに対して着脱自在に設けられたガラス厚補正アダプタであって、前記レンズ鏡筒の前記観察対象物側の先端部に着脱可能な着脱部、前記着脱部から前記観察対象物側に延出して設けられ、前記対物レンズの光軸を中心軸とした筒状の収納部、及び前記収納部の前記着脱部側に設けられ、前記収納部の筒内周面から内側に突出した係止部を備えたアダプタ本体と、互いに平行な２平面を有し、前記２平面が前記対物レンズの光軸に対して直交する状態で前記収納部内に挿入された透光性の平行平面板と、前記平行平面板の外周部を保持する枠体と、前記収納部の前記観察対象物側の先端部に取り付けられ、前記収納部内に前記平行平面板が挿入された状態で、前記係止部との間で前記平行平面板を保持した前記枠体を挟んで保持する押え部と、を備え、前記収納部は、少なくとも２つ以上の前記平行平面板を挿入可能な筒長さ寸法に形成され、前記枠体は、前記収納部の筒内周面に周方向に亘って当接する外周面を有し、前記平行平面板は、前記枠体に保持された状態で前記収納部に収納されていることを特徴とする。
【００１１】
本発明では、アダプタ本体に収納部が設けられ、この収納部には、少なくとも２つ以上の平行平面板を挿入することができる。そして、収納部に平行平面板が収納された状態で、収納部の観察対象物側の先端部に押え部が取り付けられることで、押え部とアダプタ本体の係止部とにより、平行平面板の２平面が対物レンズの光軸に対して直交する状態で固定される。
このような構成では、対物レンズと観察対象物との間に介在するガラス板の厚み寸法に応じて、対応する厚み寸法の平行平面板を収納部に収納することで、対物レンズの複数のレンズによる収差補正を適切に機能させることができる。また、収納部は、２つ以上の平行平面板を挿入することが可能であるため、対応する厚み寸法の平行平面板がない場合であっても、複数の平行平面板を重ねて収納部に挿入することで、対物レンズの複数のレンズによる収差補正を適切に機能させることができる。従って、ガラス板の厚み寸法に応じた数分の平行平面板を用意する必要がなく、コストの低減を図れる。
そして、本発明では、このように平行平面板を重ねて用いる場合であっても、１つのアダプタ本体の収納部内に平行平面板を挿入する構成であるため、例えば、従来のように、対物レンズのレンズ鏡筒に複数のアダプタを重ねて装着する場合に比べて、作動距離の減少を抑えることができる。すなわち、複数の平行平面板を装着するために、収納部に対して平行平面板を挿入するだけでよく、ネジ装着や係合ピンを用いた係合装着を行う装着部が不要となり、その分、作動距離の減少を抑えることができる。従って、対物レンズと観察対象物との間の作動距離を十分に確保することができ、対物レンズの機能低下を抑えることができる。
【００１２】
本発明のガラス厚補正アダプタは、前記平行平面板の外周部を保持する枠体を備え、前記枠体は、前記収納部の筒内周面に周方向に亘って当接可能な外周面を有し、前記平行平面板は、前記枠体に保持された状態で前記収納部に収納されていることが好ましい。
【００１３】
本発明では、平行平面板は、枠体に保持された状態で収納部に挿入される。このような枠体を用いることで、平行平面板に対して直接手で触れることがなく、平行平面板への指紋や異物の付着を防止できる。また、枠体の外周面が収納部の筒内周に当接する構成とすることで、枠体と収納部との間のがたつきを防止でき、かつ、平行平面板の２平面が対物レンズの光軸に対して直交するように、精度よく平行平面板を収納部に挿入することができる。
【００１４】
本発明のガラス厚補正アダプタでは、前記枠体は、前記平行平面板の外周面が当接する内周円筒面、及び、前記内周円筒面から当該内周円筒面の中心軸に向かって突出し、前記平行平面板の１面側が当接する当接部を備え、前記ガラス厚補正アダプタは、前記内周円筒面に係合され、前記当接部との間で前記平行平面板を固定する押え環を備えることが好ましい。
【００１５】
本発明では、平行平面板は、枠本体の当接部と、押え環とに挟持されて固定される。これにより、平行平面板のがたつきをより確実に防止でき、平行平面板を収納部に挿入した際に、平行平面板の２平面を対物レンズの光軸に対して直交する状態に、より精度よく保持することができる。
【００１６】
本発明のガラス厚補正アダプタでは、前記収納部内に挿入可能な前記枠体として、第一の平行平面板を保持する第一枠体と、第二の平行平面板を保持する第二枠体とを備え、前記第一枠体は、第二枠体に向かって突出する爪部を備え、前記第二枠体は、前記爪部を係合する係合部を備えたことが好ましい。
【００１７】
収納部に２つの平行平面板を挿入する場合、第一の平行平面板を第一枠体に保持させ、第二の平行平面板を第二枠体に保持させて、収納部に挿入する。この時、本発明では、第一枠体の爪部を第二枠体の係合部に係合させることで、第一枠体及び第二枠体を一体化できる。このように第一枠体及び第二枠体を一体化させることで、収納部への枠体挿入作業が簡略化され、作業効率性を向上させることができる。
【００１８】
本発明のガラス厚補正アダプタでは、前記第二枠体は、前記第一枠体に向かって突出する爪部を備え、前記第一枠体は、前記第二枠体から突出する爪部を係合する係合部を備えていることが好ましい。
本発明では、第一枠体及び第二枠体の双方に爪部及び係合部が設けられる。すなわち、第一枠体及び第二枠体の形状を、同一形状とすることができ、枠体の共通化を図ることができ、これにより、枠体の低コスト化を図ることができる。
【００１９】
本発明の対物レンズは、筒状のレンズ鏡筒と、前記レンズ鏡筒内に収納される複数のレンズとを備え、前記複数のレンズにより、前記レンズ鏡筒と観察対象物との間に介在する所定厚み寸法のガラス板による収差が補正される対物レンズであって、前記レンズ鏡筒の前記観察対象物に近接する側の端部に、上述したようなガラス厚補正アダプタが取り付けられたことを特徴とする。
【００２０】
本発明では、上述した発明と同様に、対物レンズと観察対象物との間に介在するガラス板の厚み寸法に応じて、収納部に挿入する平行平面板の数や、収納部に収納する平行平面板の板厚を容易に変更することができ、厚み寸法が異なる複数のガラス板に対応することができる。また、平行平面板の組み合わせて用いることができるので、例えばガラス板の種類に応じた数だけ平行平面板を用意する場合に比べて、用意する平行平面板の数を少なくでき、低コスト化を図ることができる。更に、複数の平行平面板を組み合わせて用いた場合でも、作業距離の減少を抑えることができ、対物レンズの機能低下を抑制できる。
【発明の効果】
【００２１】
本発明のガラス厚補正アダプタは、平行平面板を複数組み合わせることで、低コスト化を実現でき、複数の平行平面板を組み合わせた場合でも、作動距離の減少を抑えることができるので、対物レンズの機能低下を防止することができる。
【図面の簡単な説明】
【００２２】
【図１】本発明に係る第一実施形態の対物レンズの概略構成を示す図。
【図２】第一実施形態のガラス厚補正アダプタの概略構成を示す図。
【図３】第一実施形態のガラス厚補正アダプタの概略構成を示す図。
【図４】第一実施形態の枠体及び平行平面板の斜視図。
【図５】第二実施形態のガラス厚補正アダプタの概略構成を示す図。
【発明を実施するための形態】
【００２３】
［第一実施形態］
以下、本発明に係る第一実施形態について、図面に基づいて説明する。
[対物レンズの構成]
図１は、本発明に係る第一実施形態の対物レンズの概略構成を示す図である。
図１に示すように、対物レンズ１０は、レンズ鏡筒１１と、レンズ鏡筒１１内に格納された複数のレンズ１２と、を備えている。
この対物レンズ１０は、例えば顕微鏡等の測定装置（観察装置）の装置本体（図示略）に着脱可能に設けられ、観察対象物Ｘ側から入射した光を、複数のレンズ１２を介して、測定装置の装置本体側に導き、例えば、装置本体内に設けられた像面に実像を形成する。
【００２４】
レンズ鏡筒１１は、観察対象物Ｘに対向する端面、及び、装置本体に取り付けられる側の端面が開口する略円筒形状に形成されている。このレンズ鏡筒１１の内部には、上記のように複数のレンズ１２が格納され、所定のレンズ位置で固定されている。
レンズ鏡筒１１の装置本体側には、装置本体に取り付け可能なレンズ装着部１１Ａが設けられている。このレンズ装着部１１Ａとしては、例えば装置本体に対して螺合可能なネジ部が構成されていてもよく、その他、いかなる構成に形成されていてもよい。
また、レンズ鏡筒１１の観察対象物Ｘに対向する先端側には、ガラス厚補正アダプタ１００を取り付けるためのアダプタ取付部１１Ｂが設けられている。なお、本実施形態では、図１に示すように、アダプタ取付部１１Ｂにネジ部（雄ねじ）が設けられ、ガラス厚補正アダプタ１００に設けられた後述する着脱部１１１を螺合する構成を例示するが、その他の構成としてもよい。例えば、アダプタ取付部１１Ｂに係合ピンを設け、着脱部１１１に設けられた係合溝に係合させてガラス厚補正アダプタ１００を対物レンズ１０に取り付ける構成などとしてもよい。
【００２５】
また、本実施形態の対物レンズ１０は、厚み寸法Ａを有するガラス板２０を介した状態で、観察対象物Ｘを観察した際に、ガラス板２０の板厚による収差を補正するように設計されている。すなわち、複数のレンズ１２は、厚み寸法Ａのガラス板２０の板厚による収差、及びレンズ１２自身による収差を補正するようにレンズ形状が設計されている。
【００２６】
ここで、上記のような対物レンズ１０では、図１に示すように、厚み寸法Ａのガラス板２０が観察対象物Ｘとの間に介在する場合に、複数のレンズ１２により、ガラス板２０の収差を補正することが可能となる。しかしながら、対物レンズ１０と観察対象物Ｘとの間に介在するガラス板の厚み寸法が変わった場合、ガラス板２０の板厚による収差を適切に補正することができない。
このような場合、本実施形態では、対物レンズ１０のアダプタ取付部１１Ｂにガラス厚補正アダプタ１００（図２参照）を取り付けることで、複数のレンズ１２による収差補正を適切に機能させることが可能となる。以下において、ガラス厚補正アダプタ１００の構成について、具体的に説明する。
【００２７】
［ガラス厚補正アダプタの構成］
図２及び図３は、対物レンズ１０に取り付けられるガラス厚補正アダプタ１００の概略構成を示す図である。ここで、図２には、２つの平行平面板１３０が用いられた場合のガラス厚補正アダプタ１００の断面構成を示し、図３には、１つの平行平面板１３０が用いられた場合のガラス厚補正アダプタ１００の断面構成を示す。
図２及び図３に示すように、ガラス厚補正アダプタ１００は、アダプタ本体１１０と、枠体１２０と、平行平面板１３０と、押え部１４０とを備える。
【００２８】
アダプタ本体１１０は、アダプタ取付部１１Ｂに着脱自在となる着脱部１１１と、着脱部１１１から観察対象物Ｘ側に延出する収納部１１２と、収納部１１２の着脱部１１１側に設けられる係止部１１３とを備える。
着脱部１１１は、内周径がレンズ鏡筒１１の外周径よりも大きい円筒形状に形成されている。また、この着脱部１１１の筒内周面には、アダプタ取付部１１Ｂのネジ部に対応したネジ部が設けられている。これにより、着脱部１１１をアダプタ取付部１１Ｂに着脱自在に取り付けることが可能となる。
なお、上述したように、着脱部１１１をアダプタ取付部１１Ｂに装着する構成としては、これに限られず、例えばアダプタ取付部１１Ｂに係合ピンを設け、着脱部１１１に係合ピンを係合可能な係合溝を設ける構成などとしてもよい。
【００２９】
収納部１１２は、円筒形状に形成され、アダプタ本体１１０を対物レンズ１０に取り付けた際に、複数のレンズ１２の光軸Ｌが収納部１１２の円筒中心軸に一致する。収納部１１２の筒内周面の径寸法は、着脱部１１１の筒内周面と略同一径寸法に形成され、収納部１１２の筒外周面は、着脱部１１１よりも小さい径寸法に形成されている。また、収納部１１２の筒外周面には、押え部１４０を係合するためのネジ部が設けられている。そして、本実施形態では、収納部１１２は、円筒内周部に１つ又は２つの枠体１２０を挿入することが可能な円筒長さに形成されている。
なお、収納部１１２の径寸法としては、上記に限らないが、例えば、収納部１１２の筒内周面の径寸法を着脱部１１１の筒内周面よりも小さくすると、収納部１１２内に挿入する枠体１２０の一部により有効口径が小さくなる場合がある。また、収納部１１２の内周径に応じて枠体１２０の径方向（中心軸から離れる放射方向）に沿った厚み寸法を小さくすると、枠体１２０の強度が低下してしまう。さらに、収納部１１２の筒外周面の径寸法を大きくすると、これに係合する押え部１４０も大型化してしまう。以上のような理由から、上記寸法とすることが好ましい。
【００３０】
係止部１１３は、収納部１１２の着脱部１１１側に設けられ、収納部１１２の内周面から収納部１１２の円筒中心軸（対物レンズ１０の光軸Ｌ）に向かって突出している。なお、係止部１１３の径方向への突出寸法は、例えばレンズ鏡筒１１の厚み程度であり、対物レンズ１０の光入射孔１３には重ならない。
このような係止部１１３としては、円環状に形成され、収納部１１２に内周面の周方向に亘って設けられていてもよく、収納部１１２の内周面の一部から突起する突片により構成されてもよい。
そして、この係止部１１３の装置本体側の端面は、対物レンズ１０にガラス厚補正アダプタ１００が装着された状態で、レンズ鏡筒１１の観察対象物Ｘ側の端面に当接する。また、この係止部１１３の観察対象物Ｘ側の端面は、収納部１１２に挿入された枠体１２０に当接する。
【００３１】
枠体１２０は、平行平面板１３０を保持する枠部材であり、平行平面板１３０を保持した状態で、アダプタ本体１１０の収納部１１２に挿入される。
図４は、枠体１２０の概略構成を示す斜視図である。
枠体１２０は、図２から図４に示すように、円筒形状の枠本体１２１と、枠本体１２１の内周面（内周円筒面１２１Ａ）に設けられた当接部１２２と、枠本体１２１から突出する爪部１２３と、枠本体１２１の一部が切り欠かれた係合部１２４とを備えている。
枠本体１２１の内周円筒面１２１Ａは、平行平面板１３０の外周面が当接可能な径寸法に形成されている。また、枠本体１２１の円筒外周面は、収納部１１２の内周面に当接可能な径寸法に形成されている。
当接部１２２は、枠本体１２１の一端側に設けられ、内周円筒面１２１Ａ側の面が平行平面板１３０に当接する。当接部１２２の突出寸法としては、対物レンズ１０の有効口径に影響しない程度の寸法に形成されていればよい。
なお、本実施形態では、当接部１２２として、円環形状に形成され内周円筒面１２１Ａの周方向に亘って設けられる例を示すが、例えば、内周円筒面１２１Ａの一部から突出する突片より形成されていてもよい。この場合、内周円筒面１２１Ａの周方向に亘って、複数の突片状の当接部１２２を設けることが好ましい。
【００３２】
爪部１２３は、枠本体１２１の一端面から内周円筒面１２１Ａの円筒中心軸に平行な直線方向に沿って突出して設けられた、所定の幅寸法を有する突片である。この爪部１２３は、内周円筒面１２１Ａの円筒中心軸に対して等角度間隔（例えば枠体１２０度間隔）で、複数設けられている。また、爪部１２３の突出寸法としては、特に限定されないが、枠本体１２１の軸方向に沿う円筒長さと同一寸法以下に形成されることが好ましい。
係合部１２４は、枠本体１２１の外周面に、爪部１２３と同一の幅寸法で、円筒一端面から他端面に亘って設けられ、爪部１２３が係合される部位となる。すなわち、本実施形態では、２つの枠体１２０を用いる場合に、２つの枠体１２０を組み合わせて一体化した状態で収納部１１２に挿入する。この際、一方の枠体１２０（本発明の第一枠体）の爪部１２３を、他方の枠体１２０（本発明の第二枠体）の係合部１２４に係合させ、他方の枠体１２０（第二枠体）の爪部１２３を、一方の枠体１２０（第一枠体）の係合部１２４に係合させる。
ここで、上述のように、爪部１２３の突出寸法が枠本体１２１の円筒長さ以下となっていれば、爪部１２３が枠本体１２１の端面からはみ出すことがなく、２つの枠体１２０を組み合わせた際のサイズを小さくできる。
【００３３】
平行平面板１３０は、互いに平行となる２平面を有するガラス板である。これらの２平面は、それぞれ、円形に形成されている。また、これらの２平面に隣接する外周面は、２平面に対して垂直に設けられている。そして、平行平面板１３０は、外周面が枠体１２０の内周円筒面１２１Ａに当接（嵌合）されることで、枠体１２０に固定される。
【００３４】
押え部１４０は、装着部１４１及び押え片１４２を備える。
装着部１４１は、円筒状に形成され、円筒内周面にネジ部が設けられ、収納部１１２の外周面に設けられたネジ部に螺合される。なお、装着部１４１の収納部１１２への装着としては、ネジ部による螺合に限られず、例えば装着部１４１及び収納部１１２のいずれかに形成された係合ピンを、他方に形成された係合溝に係合させる構成などとしてもよい。
押え片１４２は、装着部１４１の観察対象物Ｘ側の端面から内径側に突出して設けられる。押え片１４２は、装着部１４１が収納部１１２に装着されることで、収納部１１２内に挿入された枠体１２０を係止部１１３側に押圧する。つまり、押え片１４２は、係止部１１３とともに、枠体１２０を挟持して固定する。
また、押え片１４２は、係止部１１３や当接部１２２と同様に、円環状に形成され、装着部１４１の周方向に亘って設けられる構成としてもよく、装着部１４１の周方向に沿った一部から、内径側に突出する複数の突片により構成されていてもよい。
【００３５】
［ガラス厚補正アダプタの装着方法］
次に、上記したガラス厚補正アダプタ１００を対物レンズ１０に装着する方法について説明する。
ガラス厚補正アダプタ１００の装着では、まず、レンズ鏡筒１１のアダプタ取付部１１Ｂにアダプタ本体１１０の着脱部１１１を装着し、係止部１１３の一端面とレンズ鏡筒１１の端面に当接させる。
そして、アダプタ本体１１０の収納部１１２に、平行平面板１３０が保持（嵌合）された枠体１２０を挿入する。
【００３６】
この時、１つの平行平面板１３０を用いて、収差補正を行う場合では、図３に示すように、平行平面板１３０が保持された１つの枠体１２０を収納部１１２内に挿入し、挿入先端側の端面を係止部１１３に当接させる。
また、２つの枠体１２０を用いる場合、上述したように、一方の枠体１２０（第一枠体）の爪部１２３を、他方の枠体１２０（第二枠体）の係合部１２４に係合させ、他方の枠体１２０（第二枠体）の爪部１２３を、一方の枠体１２０（第一枠体）の係合部１２４に係合させて、これらの２つの枠体１２０を一体化する。そして、一体化された枠体１２０を収納部１１２内に挿入し、枠体１２０の挿入先端側の端面を係止部１１３に当接させる。
ここで、枠体１２０の外周面が収納部１１２の内周面に当接し、平行平面板１３０の外周面が内周円筒面１２１Ａに当接することで、各平行平面板１３０の２平面を対物レンズ１０の光軸Ｌに対して直交する状態に保持することが可能となる。
この後、アダプタ本体１１０の収納部１１２に押え部１４０を装着し、押え片１４２により、枠体１２０を押圧する。これにより、枠体１２０が係止部１１３及び押え片１４２により挟持されて固定される。
以上により、対物レンズ１０にガラス厚補正アダプタ１００が装着される。
【００３７】
[平行平面板の選択]
次に、対物レンズ１０及び観察対象物Ｘの間に介在するガラス板２０の板厚に対する平行平面板１３０の選択方法について説明する。
上述したように、対物レンズ１０の複数のレンズ１２は、板厚が所定の厚み寸法Ａであるガラス板２０を挿入した場合に、ガラス板２０により生じる収差を補正可能に設計されているので、厚み寸法Ａよりも小さい板厚のガラス板２０が介在する場合では、適切な収差補正を行うことができない。
このような場合、本実施形態では、ガラス板２０の板厚と、平行平面板１３０の板厚との和が、レンズ１２により収差補正が可能となる寸法Ａとなるように、平行平面板１３０を選択する。また、２つの平行平面板１３０を用いる場合では、これらの２つの平行平面板１３０の板厚、及びガラス板２０の板厚の和が、レンズ１２により収差補正が可能な寸法Ａとなるように、２つの平行平面板１３０を選択する。
【００３８】
本実施形態では、収納部１１２内に、１つの枠体１２０（平行平面板１３０）を挿入することも、２つの枠体１２０（平行平面板１３０）を組み合わせて挿入することも可能である。このように、これらの枠体１２０（平行平面板１３０）を自由に選択できる構成とすることで、少ない平行平面板１３０で、複数のガラス板２０の板厚に対応することが可能となる。
例えば、対物レンズ１０の複数のレンズ１２により、収差補正が可能なガラス板２０の厚み寸法が５ｍｍである場合、厚み寸法が１ｍｍ、２ｍｍ、及び３ｍｍの３つの平行平面板１３０が保持された枠体１２０を用意することで、ガラス板２０の厚み寸法が、１ｍｍ，２ｍｍ，３ｍｍ，４ｍｍの場合及び、ガラス板２０が設けられない場合に対応することが可能となる。
つまり、ガラス板２０の厚み寸法が４ｍｍである場合では、１ｍｍの平行平面板１３０が保持された枠体１２０を収納部１１２に装着する。
また、ガラス板２０の厚み寸法が３ｍｍである場合では、２ｍｍの平行平面板１３０が保持された枠体１２０を収納部１１２に装着する。
また、ガラス板２０の厚み寸法が２ｍｍである場合では、３ｍｍの平行平面板１３０が保持された枠体１２０、又は、１ｍｍの平行平面板１３０が保持された枠体１２０及び２ｍｍの平行平面板１３０が保持された枠体１２０を組み合わせたものを、収納部１１２に装着する。
また、ガラス板２０の厚み寸法が１ｍｍである場合では、１ｍｍの平行平面板１３０が保持された枠体１２０及び３ｍｍの平行平面板１３０が保持された枠体１２０を組み合わせたものを、収納部１１２に装着する。
また、ガラス板２０が介在しない場合では、２ｍｍの平行平面板１３０が保持された枠体１２０及び３ｍｍの平行平面板１３０が保持された枠体１２０を組み合わせたものを、収納部１１２に装着する。
【００３９】
そして、本実施形態では、１つのガラス厚補正アダプタ１００により、２つの平行平面板１３０を収納部１１２内に挿入する構成となるため、例えば、別部材のアダプタを重ねて対物レンズ１０に取り付ける場合に比べて、対物レンズ１０の光軸Ｌに沿った長さ寸法を小さくできる。したがって、アダプタを取り付けた際の作動距離Ｓ、すなわち、対物レンズ１０の焦点を合わせるために、対物レンズ１０を移動させることが可能な距離の減少を抑えられ、対物レンズ１０の機能低下を抑制することができる。
【００４０】
［本実施形態の作用効果］
本実施形態の対物レンズ１０は、観察対象物Ｘとの間に所定の厚み寸法Ａのガラス板２０が介在した状態で、ガラス板２０の板厚による収差を複数のレンズ１２により補正可能に設計されている。そして、ガラス板２０の板厚が変更された場合でも、ガラス厚補正アダプタ１００を装着することで、ガラス厚補正アダプタ１００内の平行平面板１３０の厚み寸法とガラス板２０の厚み寸法との和を寸法Ａに一致させることで、適切な収差補正を実施することができる。
そして、このガラス厚補正アダプタ１００は、対物レンズ１０のレンズ鏡筒１１に着脱可能な着脱部１１１、着脱部１１１から観察対象物Ｘ側に突出する円筒状の収納部１１２、及び収納部１１２の着脱部１１１側に設けられた係止部１１３を有するアダプタ本体１１０を備えている。そして、このアダプタ本体１１０の収納部１１２は、円筒内周部に平行平面板１３０が保持された枠体１２０を２つ以上挿入可能に構成されており、ガラス厚補正アダプタ１００は、収納部１１２に枠体１２０が挿入された状態で、係止部１１３との間で枠体１２０を挟持する押え部１４０を備えている。
このような構成では、１つのガラス厚補正アダプタ１００により、２つ以上の平行平面板１３０を収納部１１２内に挿入することができるので、例えば、複数のアダプタを繋ぎ合わせて用いる場合に比べて、対物レンズ１０の作動距離Ｓを十分に確保することができる。したがって、対物レンズ１０の機能低下を抑制できる。
また、本実施形態では、２つの平行平面板１３０を組み合わせて用いることも、１つの平行平面板１３０のみを用いることもできる。したがって、平行平面板１３０の組み合わせにより、複数種の異なる厚み寸法のガラス板２０に対応することができ、例えば、ガラス板２０の板厚に応じて１つの平行平面板を用いて対応する場合に比べ、低コスト化を実現できる。また、対物レンズ１０として、レンズ１２の位置を変化させる構成等が不要であるため、この点からも低コスト化を実現できる。
【００４１】
本実施形態では、平行平面板１３０の外周面は、枠体１２０の枠本体１２１に設けられた内周円筒面１２１Ａに当接して保持されている。また、枠体１２０の枠本体１２１の外周面は、収納部１１２の内周面に当接している。これにより、平行平面板１３０と枠体１２０との間のがたつきや、枠体１２０とアダプタ本体１１０とのがたつきが防止することができ、かつ、平行平面板１３０を対物レンズ１０の光軸Ｌに対して直交する状態で、固定することができる。したがって、対物レンズ１０のレンズ１２により、適切な収差補正を行うことができる。
また、平行平面板１３０が枠体１２０に保持される構成では、例えば平行平面板１３０をアダプタ本体１１０の収納部１１２に挿入する際に、枠体１２０を手で把持することができ、平行平面板１３０への指紋や汚れの付着を防止できる。
【００４２】
本実施形態では、枠体１２０は、枠本体１２１の円筒軸方向に突出する爪部１２３と、爪部１２３が係合可能な係合部１２４とを備えている。このような構成では、２つの枠体１２０を用いる場合に、それぞれの枠体１２０に設けられた爪部１２３を、他方の係合部１２４に係合させることで、２つの枠体１２０を一体化した状態で枠体１２０に挿入することができ、収納部１１２への枠体１２０の挿入時に作業効率性を向上させることができる。また、爪部１２３及び係合部１２４を円筒中心軸に対して等角度間隔に設ける構成とすることで、各枠体１２０を共通部品として扱うことができ、製造コストの低減を図れる。
【００４３】
［第二実施形態］
次に、本発明に係る第二実施形態について、図面に基づいて説明する。
図５は、第二実施形態のガラス厚補正アダプタ１００Ａの概略構成を示す図である。
上述した第一実施形態のガラス厚補正アダプタ１００では、平行平面板１３０は、枠体１２０の内周円筒面１２１Ａ内に嵌合される構成、つまり、枠体１２０に固定される構成とした。これに対して、第二実施形態は、平行平面板１３０が枠体１２０に対して着脱可能に保持される点で上記第一実施形態と相違する。
【００４４】
本実施形態のガラス厚補正アダプタ１００Ａは、枠体１２０の内周円筒面１２１Ａには、ネジ部が設けられている。そして、内周円筒面１２１Ａに平行平面板１３０が挿入された状態で、図５に示すように、押え環１５０が装着され、この押え環１５０と、当接部１２２とにより、平行平面板１３０が挟持されて固定される。
【００４５】
このような構成では、枠体１２０に装着する平行平面板１３０を交換することができる。したがって、ガラス板２０の板厚に応じて、複数（例えば３つ以上）の平行平面板１３０を用意する場合でも、枠体１２０としては収納部１１２に挿入可能な数（例えば２つ）を用意すればよく、更なる低コスト化を実現できる。
また、押え環１５０により、枠体１２０に確実に平行平面板１３０を固定することができ、より確実に平行平面板１３０を対物レンズ１０の光軸Ｌに対して直交する状態に固定することができる。
【００４６】
［変形例］
なお、本発明は前述の実施形態に限定されるものではなく、本発明の目的を達成できる範囲での変形、改良等は本発明に含まれるものである。
例えば、上記実施形態では、枠体１２０を共通部材とし、一方の枠体１２０の爪部１２３を他方の枠体１２０の係合部１２４に係合し、他方の枠体１２０の爪部１２３を一方の枠体１２０の係合部１２４に係合する構成としたが、これに限定されない。例えば、爪部のみが設けられた枠体と、係合部のみが設けられた枠体とを組み合わせて一体化する構成としてもよい。
また、爪部や係合部が設けられず、枠本体及び当接部のみにより構成された枠体を用いてもよい。
【００４７】
また、収納部１１２内に、枠体１２０に保持された平行平面板１３０を挿入する構成としたが、これに限定されない。例えば収納部１１２内に、直接平行平面板１３０を挿入する構成としてもよく、この場合、収納部１１２の突出寸法をより小さくでき、対物レンズ１０の作動距離をより大きく確保することができる。
【００４８】
収納部１１２内に２つの枠体１２０を挿入可能な構成を例示したが、３つ以上の枠体１２０が挿入可能な構成としてもよい。この場合でも、例えば、３つ以上のアダプタを繋げる構成に比べて、作動距離を大きく確保することができる。
【００４９】
その他、本発明の実施の際の具体的な構造は、本発明の目的を達成できる範囲で他の構造等に適宜変更できる。
【産業上の利用可能性】
【００５０】
本発明は、観察対象物Ｘとの間に所定厚み寸法のガラス板が介在した際にガラス板の板厚による収差を補正可能に設計された対物レンズに対して着脱するガラス厚補正アダプタとして利用することができる。
【符号の説明】
【００５１】
１０…対物レンズ、１１…レンズ鏡筒、１２…レンズ、１１Ｂ…アダプタ取付部、１００，１００Ａ…ガラス厚補正アダプタ、１１０…アダプタ本体、１１１…着脱部、１１２…収納部、１１３…係止部、１２０…枠体、１２１…枠本体、１２１Ａ…内周円筒面、１２２…当接部、１２３…爪部、１２４…係合部、１３０…平行平面板、１４０…押え部、１４１…装着部、１４２…押え片、１５０…押え環、Ａ…観察対象物、Ｌ…光軸。
【図１】
0006002423.tif 000002
【図２】
0006002423.tif 000003
【図３】
0006002423.tif 000004
【図４】
0006002423.tif 000005
【図５】
0006002423.tif 000006